(57)【要約】【課題】光拡散性を有するグレアカット用のシート状物を簡単に取付けることができるようにした照明装置を提供することである。【解決手段】天井１に形成された器具取付孔２の上側に照明器具本体４を設け、器具取付孔２に挿入された箱形反射板８をねじ１０の締付けによって器具本体４に取付ける。ねじ１０を弛め、箱形反射板８のフランジ９と天井１間にシート支持板１１の一側部を挿入し、前記ねじ１０の締付けによりフランジ９と天井１とでシート支持板１１を挟持して一対のシート支持板１１を反射板８の両側に設け、その一対のシート支持板１１の他側部間に渡されたグレアカット用シート状物１７の両側部を各シート支持板１１に取付けられたクリップ１３で挟持する。【選択図】  図１
2004213926.tif 000002
【特許請求の範囲】
【請求項１】
天井に形成された器具取付孔上に直管形けい光灯を支持する照明器具本体を設け、前記器具取付孔内に挿入されて前記けい光灯を覆い、下面開口の外周に天井下面に係合するフランジが形成された箱形の反射板を前記照明器具本体にねじ止めした照明装置において、前記反射板とほぼ等しい長さとされた一対のシート支持板を箱形反射板の下部両側に配置して、各シート支持板の一側部を反射板のフランジと天井とで挟持し、その一対のシート支持板の他側部間に前記反射板の下面のほぼ全体を覆う大きさの光拡散性および透光性を有するフレキシブルなグレアカット用のシート状物を渡し、そのシート状物の両側部とシート支持板の相互間に、シート状物の両側部をシート支持板に着脱自在に連結する連結具を設けた照明装置。
【請求項２】
天井の下面に２本の平行に配置された直管形のけい光灯を支持する照明器具本体を取付け、その照明器具本体に相反する方向に一対の傾斜板部を両側に有し、各傾斜板部の側縁に天井下面に当接される当接板部が設けられた反射板をねじ止めした照明装置において、前記反射板の両側に、その反射板とほぼ等しい長さの一対のシート支持板を配置して、各シート支持板の一側部を前記天井と反射板の当接板部とで挟持し、その一対のシート支持板の他側部間に前記反射板の下面のほぼ全体を覆う大きさの光拡散性および透光性を有するフレキシブルなグレアカット用のシート状物を渡し、そのシート状物の両側部とシート支持板の相互間に、シート状物の両側部をシート支持板に着脱自在に連結する連結具を設けた照明装置。
【請求項３】
前記連結具が、シート支持板の他側部に設けられたクリップから成る請求項１又は２に記載の照明装置。
【請求項４】
前記連結具が、シート状物の両側部に取付けられて前記シート支持板に設けられたフック係合片に対して係脱されるフックから成る請求項１又は２に記載の照明装置。
【発明の詳細な説明】
【０００１】
【発明の属する技術分野】
この発明は、室内の照明装置に関するものである。
【０００２】
【従来の技術】
直管形のけい光灯を採用する照明装置には、前記けい光灯を支持する照明器具を天井に形成された器具取付孔内に嵌合する埋込み型と、天井の下面に取付ける露出型とが存在するが、いずれの照明装置もけい光灯によって室内空間を直接に照明するため、まぶしさが気にかかり、不快感を与える場合がある。
【０００３】
まぶしさ対策には、光拡散性を有するアクリル樹脂製のカバーによって照明器具を覆うことがきわめて有効であるが、上記カバーは金型による成形品であるため、照明器具のサイズに応じてカバーを形成する必要があり、数多くの成形金型を必要とする問題がある。また、上記カバーは可燃性であるため、火災時に類焼する危険がある。
【０００４】
そのような問題点を解決するため、ガラスクロスとフッ素樹脂の複合材料から成る不燃性、光拡散性および透光性に優れた薄肉厚のフレキシブルなグレアカット用のシート状物が提案されている（日東紡社製のライトシエード）。
【０００５】
上記グレアカット用シート状物は、クロス製であって切断可能であるため、任意サイズのライトシエードを簡単に製造することができると共に、伸縮性がないため、寸法安定性に優れているという特徴を有している。
【０００６】
【発明が解決しようとする課題】
ところで、前記グレアカット用のシート状物を採用した従来の照明装置においては、シート状物自体に保型性を有しないため、その取付けには非常に手間がかかり、既存の直管形けい光灯照明器具のグレアカットに際しては支持枠にシート状物を取付けてカバーを形成し、そのカバーを天井や照明器具本体に取付ける必要があるため、その取付けに非常に手間がかかるという問題があった。
【０００７】
この発明の課題は、既存のけい光灯照明器具に対してもグレアカット用のシート状物を簡単に取付け、取外しできるようにした照明装置を提供することである。
【０００８】
【課題を解決するための手段】
上記の課題を解決するために、第１の発明においては、天井に形成された器具取付孔上に直管形けい光灯を支持する照明器具本体を設け、前記器具取付孔内に挿入されて前記けい光灯を覆い、下面開口の外周に天井下面に係合するフランジが形成された箱形の反射板を前記照明器具本体にねじ止めした照明装置において、前記反射板とほぼ等しい長さとされた一対のシート支持板を箱形反射板の下部両側に配置して、各シート支持板の一側部を反射板のフランジと天井とで挟持し、その一対のシート支持板の他側部間に前記反射板の下面のほぼ全体を覆う大きさの光拡散性および透光性を有するフレキシブルなグレアカット用のシート状物を渡し、そのシート状物の両側部とシート支持板の相互間に、シート状物の両側部をシート支持板に着脱自在に連結する連結具を設けた構成としたのである。
【０００９】
また、第２の発明においては、天井の下面に２本の平行に配置された直管形のけい光灯を支持する照明器具本体を取付け、その照明器具本体に相反する方向に一対の傾斜板部を両側に有し、各傾斜板部の側縁に天井下面に当接される当接板部が設けられた反射板をねじ止めした照明装置において、前記反射板の両側に、その反射板とほぼ等しい長さの一対のシート支持板を配置して、各シート支持板の一側部を前記天井と反射板の当接板部とで挟持し、その一対のシート支持板の他側部間に前記反射板の下面のほぼ全体を覆う大きさの光拡散性および透光性を有するフレキシブルなグレアカット用のシート状物を渡し、そのシート状物の両側部とシート支持板の相互間に、シート状物の両側部をシート支持板に着脱自在に連結する連結具を設けた構成を採用したのである。
【００１０】
第１の発明および第２の発明のいずれの発明も照明器具本体に反射板をねじ止めするねじを弛めると、反射板と天井の下面間に隙間が形成され、その隙間にシート支持板の一側部を挿入し、ねじを締付けることによってシート支持板を固定することができると共に、その一対のシート支持板の他側部間にグレアカット用のシート状物を渡して連結具によりシート状物の両側部をシート支持板の他側部に連結することによってシート状物を取付け状態とすることができる。このため、グレアカット用のシート状物をきわめて簡単に取付けることができると共に、既存の照明装置に対して容易に取付けることができる。
【００１１】
また、連結具を連結解除することによってシート状物を取外すことができるため、シート状物の清掃や取り替えが容易である。
【００１２】
ここで、シート状物をシート支持板に連結する連結具はクリップであってもよく、フックであってもよい。クリップを採用する場合は、そのクリップをシート支持板の他側部に取付け、一方、フックを採用する場合は、そのフックをシート状物の他側部に取付け、シート支持板には上記フックが係合されるフック係合片を設けるようにする。
【００１３】
【発明の実施の形態】
以下、この発明の実施の形態を図面に基づいて説明する。図１および図２に示すように、天井１には細長い器具取付孔２が形成され、その器具取付孔２上に一対のブラケット３が器具取付孔２の長さ方向に間隔をおいて設けられている。
【００１４】
ブラケット３はコの字形をなし、その両端部が天井１の上面に固定されている。この一対のブラケット３上に２本の並列に配置された照明器具本体４が取付けられている。
【００１５】
照明器具本体４は一対のソケットホルダ５を下面両端部に有し、各ソケットホルダ５に支持されたソケット６によって直管形のけい光灯７の端部が着脱自在に支持されている。
【００１６】
器具取付孔２内には前記けい光灯７を覆う箱形の反射板８が挿入されている。反射板８には下面開口の外周に天井１の下面に係合する外向きのフランジ９が設けられている。この反射板８は照明器具本体４にねじ係合されるねじ１０の締付けによって照明器具本体４に固定され、上記ねじ１０を弛めることによりフランジ９と天井１の下面間に隙間が形成されるようになっている。
【００１７】
天井１の下面には、箱形反射板８の両側部から外側方に張り出す一対のシート支持板１１が設けられている。シート支持板１１は天井１の下面に衝合される固定板部１１ａの側縁に傾斜板部１１ｂを連設したアルミニウムの押出し成形品から成っている。このシート支持板１１は箱形反射板８に形成されたフランジ９の両側フランジ部９ａとほぼ等しい長さとされている。
【００１８】
図３に示すように、シート支持板１１における固定板部１１ａの一側部は箱形反射板８の両側フランジ部９ａと天井１とで挟持されている。一方、傾斜板部１１ｂの上面他側部にはシート支持板１１の長さ方向に長いクリップ支持溝１２が形成され、そのクリップ支持溝１２に連結具としての複数のクリップ１３がクリップ支持溝１２の長さ方向に間隔をおいて取付けられている。
【００１９】
クリップ１３として、ここでは、図３および図４に示すように、固定挟持片１４と、その固定挟持片１４に開閉自在に支持され、閉鎖時に固定挟持片１４とで挟持対象物を挟持する可動挟持片１５と、前記固定挟持片１４に起伏自在に支持され、伏倒時に可動挟持片１５を押圧して可動挟持片１５を閉鎖させる操作片１６とから成る従来から周知のものを採用しているが、クリップ１３はこれに限定されるものではない。例えば、シート支持板１１の他側部上に挟持板を開閉自在に設け、その挟持板とシート支持板とで挟持対象物を挟持するようにしたものであってもよい。
【００２０】
図１に示すように、シート支持板１１の他側縁間には箱形反射板８の下面のほぼ全体を覆う薄肉厚のフレキシブルなグレアカット用のシート状物１７が渡され、そのシート状物１７の両側縁はシート支持板１１の他側部を包み込むように折曲げられ、その折曲げ片が複数のクリップ１３によって挟持されている。
【００２１】
シート状物１７として、ここでは、ガラスクロスとフッ素樹脂の複合材料から成る日東紡社製のライトシエードを採用しており、そのライトシエード１７は前述のように、光拡散性と透光性を有し、けい光灯７からの光を拡散させて柔らかい光を室内に照射するようになっている。
【００２２】
上記の構成から成る照明装置において、グレアカット用シート状物１７の取付けに際しては、図１に示すねじ１０を弛めて箱形反射板８を引き下げ、天井１とフランジ９との間に隙間を形成する。
【００２３】
そして、箱形反射板８の両側からフランジ９と天井１間に形成された隙間に一対のシート支持板１１の一側部を挿入し、前記ねじ１０の締付けにより箱形反射板８を引き上げてシート支持板１１を天井１とフランジ９とで挟持する。
【００２４】
一対のシート支持板１１の固定後、一方のシート支持板１１に取付けられたクリップ１３でグレアカット用シート状物１７の一側部を挟持し、そのシート状物１７を一対のシート支持板１１間に渡らせて他側部を他方のシート支持板１１に取付けられたクリップ１３で挟持する。
【００２５】
このように、一対のシート支持板１１は、箱形反射板８のフランジ９と天井１とで挟持する取付けであり、一方、一対のシート支持板１１の先端部間に渡されて箱形反射板８の下面全体を覆うグレアカット用シート状物１７はその両側部をシート支持板１１に取付けられたクリップ１３の挟持による取付けであるため、グレアカット用シート状物１７をきわめて簡単に取付けることができると共に既存の照明装置に対しても簡単に取付けることができる。
【００２６】
図５は、この発明に係る照明装置の他の実施形態を示す。この実施形態では、天井１の下面に照明器具本体２０を取付け、その照明器具本体２０にねじ係合されるねじ２１の締付けによって反射板２２を取付けた露出型の照明装置を示す。
【００２７】
ここで、反射板２２は、相反する方向に傾斜する一対の傾斜板部２２ａと、各傾斜板部２２ａの側縁に連設されて天井１の下面に当接される当接板部２２ｂとを有しており、前記照明器具本体２０に設けた対向一対の２組のソケットホルダ２３は各傾斜板部２２ａを貫通し、そのソケットホルダ２３のソケット２４によって両端部が支持される直管形のけい光灯７は各傾斜板部２２ａの下方に配置される。
【００２８】
露出型照明装置に対するグレアカット用シート状物１７の取付けに際しては、ねじ２１を弛めて反射板２２を引き下げ、当接板部２２ｂと天井１の下面間に形成された隙間にシート支持板１１の一側部を挿入し、前記ねじ２１の締付けにより押し上げられる反射板２２の当接板部２２ｂと天井１とでシート支持板１１を固定して、反射板２２の両側に一対のシート支持板１１を設ける。
【００２９】
そして、その一対のシート支持板１１の他側部間にグレアカット用シート状物１７を渡し、そのシート状物１７の両側部をシート支持板１１の他側部に取付けられたクリップ１３により挟持する。
【００３０】
このように、グレアカット用シート状物１７の挟持用クリップ１３が取付けられたシート支持板１１を反射板２２の当接板部２２ｂと天井１とで挟持するようにしたので、露出型照明装置に対してもグレアカット用シート状物１７をきわめて簡単に取付けることができる。
【００３１】
図１および図５に示す実施の形態では、シート支持板１１にシート状物１７を連結する連結具としてクリップ１３を示したが連結具はこれに限定されるものではない。例えば、図６に示すように、フック３０を連結具として用いるようにしてもよい。この場合、複数のフック３０をシート状物１７の両側部に間隔をおいて取付け、一方、シート支持板１１にはフック係合片３１を設け、そのフック係合片３１にフック３０を係合させるようにする。
【００３２】
図６では、シート支持板１１に、固定板部１１ａと、その固定板部１１ａの側縁に連設された第１傾斜板部１１ｂと、その第１傾斜板部１１ｂの側縁に連設されて第１傾斜板部１１ｂに対して逆向きに傾斜する第２傾斜板部１１ｃとを設け、上記第２傾斜板部１１ｃの内表面にフック係合片３１を設けるようにしているが、図７（Ｉ）に示すように、第２傾斜板部１１ｃの外表面にフック係合片３１を設けるようにしてもよく、あるいは、図７（II）に示すように、第１傾斜板部１１ｂの外表面にフック係合片３１を設けるようにしてもよい。
【００３３】
【発明の効果】
以上のように、この発明においては、ねじの締付けによって照明器具本体に取付けられる反射板と天井とでシート支持板の一側部を挟持して前記反射板の両側に一対のシート支持板を設け、各シート支持板の他側部に取付けられた複数の連結具でグレアカット用のシート状物の両側部をシート支持板に連結するようにしたので、グレアカット用シート状物をきわめて簡単に取付けることができる。
【図面の簡単な説明】
【図１】この発明に係る照明装置の実施形態を示す縦断正面図
【図２】図１のII−II線に沿った断面図
【図３】図１の一部分を拡大して示す拡大断面図
【図４】図３の一部分を拡大した平面図
【図５】この発明に係る照明装置の他の実施形態を示す縦断正面図
【図６】シート支持板にシート状物を連結する連結具の他の例を示す断面図
【図７】（Ｉ）、（II）はシート支持板の他の例を示す断面図
【符号の説明】
１  天井
２  器具取付孔
４  照明器具本体
７  けい光灯
８  反射板
９  フランジ
１０  ねじ
１１  シート支持板
１３  クリップ（連結具）
１７  グレアカット用シート状物
２０  照明器具本体
２１  ねじ
３０  フック（連結具）
３１  フック係合片
【図１】
2004213926.tif 000003
【図２】
2004213926.tif 000004
【図３】
2004213926.tif 000005
【図４】
2004213926.tif 000006
【図５】
2004213926.tif 000007
【図６】
2004213926.tif 000008
【図７】
2004213926.tif 000009